(57)【要約】【課題】  設置する手間を省け、また、良好な温度調節効果が得られる、農園芸用ハウスにおける吊下ダクトを提供する。【解決手段】  本ダクトは、農園芸用ハウス１内に略水平に支持されるダクトであって、上部の係止部１１ａが農園芸用ハウス１内のガイド１０に略水平に係止されるカーテンフィルム１１と、カーテンフィルム１１の下部に水平に接合される第１送気ダクト７及び第２送気ダクト８と、第２送気ダクト８に水平に接合され第２送気ダクト８から下方に垂れ下がり、下端縁が地面に接触するように形成されるスカート部１１ｂとを備える。係止部１１ａをガイド１０に係止するだけで設置でき、設置の手間を削減できる。送気ダクトのみならず、カーテンフィルム及びスカート部からも放熱して、温度調節効率を向上できる。【選択図】  図４
0003151956.tif 000002
【実用新案登録請求の範囲】
【請求項１】
農園芸用ハウス内に略水平に支持されるダクトであって、
上部が前記農園芸用ハウス内で略水平に支持されるカーテンフィルムと、
前記カーテンフィルムの下部に水平に接合される可撓性筒体からなる送気ダクトと、
前記送気ダクトに水平に接合され前記送気ダクトから下方に垂れ下がり、下端縁が地面に接触するように形成されるスカート部とを備える、農園芸用ハウスにおける吊下ダクト。
【請求項２】
前記カーテンフィルムと、前記スカート部とは、同一のフィルム材料により一体的に構成される請求項１記載の農園芸用ハウスにおける吊下ダクト。
【請求項３】
前記送気ダクトは、前記カーテンフィルムに接合される第１送気ダクトと、上部が前記第１送気ダクトに接合され、下部が前記スカート部に接合される第２送気ダクトとを有する請求項１または２記載の農園芸用ハウスにおける吊下ダクト。
【考案の詳細な説明】
【技術分野】
【０００１】
本考案は、農園芸用ハウスにおいて、暖気または冷気を送気するダクトに関するものである。
【背景技術】
【０００２】
農園芸用ハウスにおいて、温度を管理し、農作物等の生育を促進するため、暖気または冷気を送気するダクトが使用される。
【０００３】
昨今、重油、軽油等の燃料の価格が高騰する等の社会事情から、農園芸用ハウス内の温度管理を効率化する技術が求められている。農園芸用ハウスは、一般に、パイプからなる骨組みと、その骨組みの周りを被覆するフィルムとを備えてなり、暖気または冷気をダクトに送気することにより、ハウス内の温度管理が実施される。
【０００４】
特許文献１（特開２００８−１１６１７８号公報）に開示されるように、フィルムのみならず、その内側に、ビニル製のカーテンを吊し、効率化を図る技術が知られている。
【０００５】
さらに、特許文献２（実用新案登録第３０６３７９号公報）は、送気ダクトをハウス内において、宙吊りする技術を開示する。
【０００６】
上述したように、農園芸用ハウス内の温度管理を効率化する点は、重要であるが、それのみならず、我が国における農園芸業の従事者は高齢化する一途をたどっており、送気ダクトの設置等に要する手間を、できるだけ削減することが望ましい。
【特許文献１】特開２００８−１１６１７８号公報
【特許文献２】実用新案登録第３０６３７９号公報
【特許文献３】特開平１０−１３６７９８号公報
【考案の開示】
【考案が解決しようとする課題】
【０００７】
しかしながら、従来技術では、ハウス内のカーテンと、送気ダクトとは、何ら関係の無い全く別の部材として扱われており、それぞれ独立に設置する必要があり、設置に手間がかかるという問題点があった。
【０００８】
また、たとえばハウス内を暖房しようとする際、送気ダクトによる送気が終了すると、カーテンの温度が外気温の影響で直ちに低下しやすく、温度管理の効率化に限界があった。
【０００９】
逆に、ハウス内を冷房しようとする際にも、熱が伝わる向きが暖房時と逆になるだけであり、同様の問題点がある。
【００１０】
そこで本考案は、設置する手間を省け、また、良好な温度調節効果が得られる、農園芸用ハウスにおける吊下ダクトを提供することを目的とする。
【課題を解決するための手段】
【００１１】
第１の考案に係るダクトは、農園芸用ハウス内に略水平に支持されるダクトであって、上部が農園芸用ハウス内で略水平に支持されるカーテンフィルムと、カーテンフィルムの下部に水平に接合される可撓性筒体からなる送気ダクトと、送気ダクトに水平に接合され送気ダクトから下方に垂れ下がり、下端縁が地面に接触するように形成されるスカート部とを備える。
【００１２】
この構成により、カーテンフィルムと、送気ダクトと、スカート部とを一体化することができる。これらの要素が一体化されているため、設置する際には、基本的にはカーテンフィルムの上部を、農園芸用ハウス内で略水平に支持するだけで、ダクトだけでなくカーテンをも設置したのとほぼ同等の結果を得ることができ、設置の手間を大幅に削減できる。
【００１３】
送気ダクトの部分は、可撓性筒体から構成されるから、多層の保冷部となり、カーテンのみを吊す場合に比べて、保温効果を高めることができる。
【００１４】
また、送気ダクトに送気すると、送気ダクトが膨らみ、スカート部がやや持ち上がる状態となるが、この状態でも、スカート部の下端縁は地面に接触するので、カーテンフィルムの上部から地面まで、面状の膜を張ったことになる。
【００１５】
この際、たとえば、ハウス内を暖房しようとする際には、送気ダクト内に暖気が送気されるが、送気ダクトが高温となって熱が送気ダクトからハウス内へ放射される。
【００１６】
これのみならず、さらに、送気ダクトとカーテンフィルム及びスカート部とが連続しているため、送気ダクトからカーテンフィルム及びスカート部への伝熱が発生し、カーテンフィルム及びスカート部それ自体も、高温となる。よって、カーテンフィルム及びスカート部からも、面状に熱がハウス内へ放射される（熱を放射する面積が大幅に拡大される。）こととなり、暖房効果が一層向上する。
【００１７】
送気ダクトへの送気を終了すると、送気ダクトが萎み、スカート部が垂れ下がり、スカート部の下端縁は、上記よりも長い部分にわたって地面に接触する。たとえば、ハウス内を暖房していたとすると、送気を終了した後も、送気ダクトは萎んだとはいえ筒状をなしているから、送気ダクト内に暖気は残存し、その余熱により、暖房効果が従来技術よりも、より長い時間持続する。
【００１８】
ここで、ハウス内において、中央部に比べ、パイプを被覆するフィルムに近い周辺部では、暖房時には冷え込みやすく、冷房時には暖まりやすく、中央部と周辺部において、農作物の生育にムラを生じやすいが、本考案のダクトを、周辺部に配置すれば、このようなムラを効果的に抑制できる。
【００１９】
なお、以上暖房時を主に説明したが、冷房時にも上記と同様の効果がある。
【００２０】
第２の考案に係るダクトは、第１の考案に加え、カーテンフィルムと、スカート部とは、同一のフィルム材料により一体的に構成される。
【００２１】
この構成により、材料の無駄を削減し、コストダウンを図れるだけでなく、送気ダクトの側面に、カーテンフィルム及び／またはスカート部の少なくとも一方を位置させ、送気ダクトによる多層膜のみならず、さらにこれに更なる膜を重ねることができ、一層温度調節の効果を向上できる。
【００２２】
第３の考案に係るダクトは、第１の考案に加え、送気ダクトは、カーテンフィルムに接合される第１送気ダクトと、上部が第１送気ダクトに接合され、下部がスカート部に接合される第２送気ダクトとを有する。
【００２３】
この構成により、２連のダクト構造とすることができ、１本のみのダクトを用いる場合よりも、送気ダクト全体の表面積を増加できる。さらに、一定の総風量を確保する際に、１本のみの大径のダクトを用いる場合よりも、全体の幅をより小さく設定でき、その結果、設置時等の取り回しを容易にすることができるし、設置の手間を軽減できる。
【考案の効果】
【００２４】
本考案によれば、温度調節のための部材をハウス内へ設置するための手間を大幅に削減できる。
【００２５】
さらに、ハウス内へ熱を放射する面積を顕著に増加し、送気を終了した後も、送気ダクトの余熱を利用できるから、温度調節効果を従来技術よりも大幅に向上できる。
【考案を実施するための最良の形態】
【００２６】
以下図面を参照しながら、本考案の実施の形態を説明する。
【００２７】
図１は、本考案の一実施の形態における農園芸用ハウスの斜視図である。図１に示すように、農園芸用ハウス１は、パイプ２を組み合わせて躯体を構成する骨組みを組み、骨組みの周囲をフィルム３で被覆してなる。
【００２８】
本考案のダクト５は、農園芸用ハウス１の温度調節効果を高めるために使用されるものであるから、骨組みの全部またはほとんど全部をフィルム３で被覆するものを予定し、いわゆる雨よけ栽培のためのハウスは含まない。
【００２９】
躯体を構成するパイプ２は、通常亜鉛などでメッキされた鋼管からなるが、木材からなるものであっても、強度的に問題なければ差し支えない。
【００３０】
フィルム３は、農園芸用ハウス１内への採光を確保するため、通常、透明または半透明の合成樹脂製のフィルムが使用される。
【００３１】
この合成樹脂としては、ポリ塩化ビニル、ポリオレフィン系樹脂、フッ素系樹脂等が好適に使用できる。なお、後述する、ダクト５、カーテンフィルム１１、２１、スカート部１１ｂ、２１ｂも同様の材料で構成される。
【００３２】
図１に示すように、農園芸用ハウス１内の温度（あるいは湿度も含め）を管理するため、ハウス１内あるいはハウス１に近接して温度調節装置４が配設される。
【００３３】
温度調節装置４としては、一般には、ハウス１内の温度を上げ、農作物１２の生育を促進するため、暖房機が使用される。
【００３４】
しかしながら、本考案は、暖房機を使用する場合に限定されない。たとえば、温度調節装置４として、冷房機を使用してもよいし、除湿機等ほかの周知の温度調節装置を使用しても差し支えない。
【００３５】
温度調節装置４の吐出側には、ダクト５が接続される。図１に示すダクト５は、温度調節装置４の吐出側に直接接続される、主ダクト６と、主ダクト６から二本に枝分かれして、延びる第１延長ダクト６ａと第２延長ダクト６ｂとを備えてなる。
【００３６】
主ダクト６と、第１延長ダクト６ａと第２延長ダクト６ｂとは、それぞれダクトリング５ａにより、連結される。温度調節効果を高めるため、第１延長ダクト６ａと第２延長ダクト６ｂとを長くとるのが一般である。
【００３７】
即ち、温度調節装置４に近い主ダクト６を、ハウス１の妻側に配置し、延長ダクト６ａ、６ｂをハウス１の軒に沿って配置するのが通常である。しかしながら、妻側のみ、あるいは妻側及び軒に沿って、延長ダクト６ａ、６ｂを配置しても、一定の効果があるので、本考案は、このような場合も包含する。
【００３８】
図２は、本考案の一実施の形態におけるダクト同士の接続要領の説明図（接続後）であり、図３は、送気ダクトの先端部を折り返した状態を示す。
【００３９】
本考案の延長ダクト６ａ、６ｂは、図２、図３に示すように、長手方向に所定寸法系にしたがうユニットを、継ぎ足すことにより構成される。
【００４０】
１つのユニットは、水平に上下二段に互いに熱溶着部１１ｃにより連結してなり、それぞれ円筒状をなす、第１送気ダクト７及び第２送気ダクト８とを有する。
【００４１】
第１送気ダクト７の上部には、矩形のカーテンフィルム１１の下縁部を熱溶着部１１ｃにより連結する。
【００４２】
カーテンフィルム１１の上縁部は、図４（本考案の一実施の形態における農園芸用ハウスの内部を示す斜視図）に示すように、ガイド１０に係止される。ガイド１０としては、パイプ２そのものを使用してもよいし、パイプ２とは別に支持される吊線等を使用してもよい。図４に示すように、ガイド１０はなるべく高い位置に設けるのが望ましい。係止部１１ａとしては、ガイド１０を挿入する小筒としてもよいし、ハサミ、クリップ等周知の係止具を用いて、ガイド１０に固定するようにしてもよい。
【００４３】
図４に示すように、ハウス１内では、温度調節装置４に近い中央部に比べ、フィルム２に近い周辺部では、暖房時には冷え込みやすく、冷房時には暖まりやすい。この中央部と周辺部における温度差に起因して、中央部と周辺部において、農作物１２の生育にムラを生じやすい。
【００４４】
しかしながら、本考案のダクトを、図４に示すように、ハウス１の軒に沿って、周辺部に配置すれば、かかる生育のムラを効果的に抑制できる。
【００４５】
また、第２送気ダクト８の下部には、第２送気ダクト８から下向きに垂れ下がり地面まで至る矩形のスカート部１１ｂが連設される。
【００４６】
後続するユニットにも、上述したユニットと同様に、カーテンフィルム２１、第１送気ダクト１７、第２送気ダクト１８及びスカート部２１ｂとが設けられる。
【００４７】
図２に示すように、第１送気ダクト７、第２送気ダクト８の端部は、熱溶着されておらず、さらに後続するユニット側に延ばされており、それぞれの挿入しろ７ａ、８ａを後続するユニットの第１送気ダクト１７、第２送気ダクト１８の対向端部に挿入できるようになっている。
【００４８】
このように挿入した上で、後続するユニットの第１送気ダクト１７、第２送気ダクト１８の対向端部は、第１送気ダクト７、第２送気ダクト８の周面に、粘着テープ２３を用いて貼り付けられる。
【００４９】
また、図３に示すように、熱溶着されていない第１送気ダクト７、第２送気ダクト８の端部を折り返すと、カーテンフィルム１１、第１送気ダクト７及び第２送気ダクト８の裏面は、同様に、粘着テープ２３を用いてコ字状に貼り付けられてそれぞれ連結される。
【００５０】
なお、熱溶着されていない第１送気ダクト７、第２送気ダクト８の端部には、さらに粘着テープ２４が、粘着テープ２３の上に重ねて貼り付けられ補強が施されている。
【００５１】
しかしながら、熱溶着部１１ｃ、粘着テープ２３、２４による接合は、一例にすぎず、種々変更して差し支えない。例えば、連結すべきダクト同士をダクトリングを用いて接合してもよい。
【００５２】
図５は、本考案の一実施の形態における農園芸用ハウスの内部を示す断面図（送気時）、図６は、送気時の同ダクトを示す斜視図である。
【００５３】
以下、ハウス１内を暖房する場合を例にとり、動作を説明するが、冷房等ほかの調節をする場合にも、以下の説明は同様に妥当する。
【００５４】
さて、温度調節装置４を起動し、温度調節装置４から主ダクト６に暖気を送気すると、暖気は、ダクトリング５付近で二本のダクトに枝分かれし、軒に沿って暖気が流れる。
【００５５】
このとき、図５、図６に示すように、第１、第２送気ダクト７、８が膨らみ、そのテンションが上昇する。その結果、スカート部１１ｂが上向きに引っ張られて、やや持ち上がる状態となる。
【００５６】
この状態でも、スカート部１１ｂの下端縁は、地面に接触し、カーテンフィルム１１の上部から地面まで、面状で高温の膜が張られることになる。
【００５７】
第１、第２送気ダクト７、８内を暖気が流れるから、第１、第２送気ダクト７、８は、ともに高温となって、熱が第１、第２送気ダクト７、８の周面からハウス１内へ放射される。
【００５８】
また、第１、第２送気ダクト７、８からカーテンフィルム１１及びスカート部１１ｂへ熱が伝達し、カーテンフィルム１１及びスカート部１１ｂ自体も、高温となり、カーテンフィルム１１及びスカート部１１ｂからも、面状に熱がハウス１内へ放射される。その結果、送気ダクトのみからの放熱を利用する場合に比べ、有効な熱放射面積が大幅に増加し、暖房効果が一層向上する。
【００５９】
図７は、本考案の一実施の形態における農園芸用ハウスの内部を示す断面図（送気終了時）、図８は、送気終了時の同ダクトを示す斜視図である。
【００６０】
温度調節装置４からの暖気の送気を終了すると、図７、図８に示すように、第１、第２送気ダクト７、８が萎み、これらのダクト７、８によるテンションが小さくなる。
【００６１】
その結果、スカート部１１ｂが垂れ下がり、スカート部１１ｂの下端縁は、送気時よりも長い部分にわたって地面に接触する。
【００６２】
送気終了後も、図７、図８に示すように、第１、第２送気ダクト７、８は、萎んだとはいえ筒状をなしているから、第１、第２送気ダクト７、８内に空気層（特に暖められた暖気の層）が、依然存在することになり、送気終了後も、余熱による暖房効果が持続し、温度調節効果が向上することとなる。
【図面の簡単な説明】
【００６３】
【図１】本考案の一実施の形態における農園芸用ハウスの斜視図
【図２】本考案の一実施の形態におけるダクト同士の接続要領の説明図（接続後）
【図３】本考案の一実施の形態におけるダクト同士の接続要領の説明図（送気ダクトの先端部を折り返した状態）
【図４】本考案の一実施の形態における農園芸用ハウスの内部を示す斜視図
【図５】本考案の一実施の形態における農園芸用ハウスの内部を示す断面図（送気時）
【図６】本考案の一実施の形態におけるダクトを示す斜視図（送気時）
【図７】本考案の一実施の形態における農園芸用ハウスの内部を示す断面図（送気終了時）
【図８】本考案の一実施の形態におけるダクトを示す斜視図（送気終了時）
【符号の説明】
【００６４】
１  農園芸用ハウス
２  パイプ
３  フィルム
４  温度調節装置
５  ダクト
６  主ダクト
７、１７  第１送気ダクト
７ａ、８ａ  挿入しろ
８、１８  第２送気ダクト
１０  ガイド
１１、２１  カーテンフィルム
１１ａ、２１ａ  係止部
１１ｂ、２１ｂ  スカート部
１１ｃ  熱溶着部
１２  農作物
２３、２４  粘着テープ
【図１】
0003151956.tif 000003
【図２】
0003151956.tif 000004
【図３】
0003151956.tif 000005
【図４】
0003151956.tif 000006
【図５】
0003151956.tif 000007
【図６】
0003151956.tif 000008
【図７】
0003151956.tif 000009
【図８】
0003151956.tif 000010